(57)【要約】【課題】画像が形成された用紙を次工程にセットする作業にかかるユーザーへの負担を軽減することができる画像形成システム及びプログラムを提供する。【解決手段】画像形成システム１は、ジョブ情報取得部と、画像形成部と、複数の積載部と、制御部と、を備えている。ジョブ情報取得部は、ジョブ情報を取得する。画像形成部は、ジョブ情報に基づいて用紙に画像を形成する。制御部は、ジョブ情報から画像形成部による画像形成工程の後に行われる次工程情報を取得し、次工程情報に基づいて、ジョブ毎に用紙を積載する積載部を複数の積載部の中から決定する。【選択図】図６
2020066502.tif 000002
【特許請求の範囲】
【請求項１】
用紙に対して行う処理内容を示す複数のジョブからなるジョブ情報を取得するジョブ情報取得部と、
前記ジョブ情報に基づいて用紙に画像を形成する画像形成部と、
前記画像形成部から排出された前記用紙が前記ジョブ毎に分けられた状態で積載される複数の積載部と、
前記ジョブ情報から前記画像形成部による画像形成工程の後に行われる次工程情報を取得し、前記次工程情報に基づいて、前記ジョブ毎に前記用紙を積載する前記積載部を複数の前記積載部の中から決定する制御部と、
を備えた画像形成システム。
【請求項２】
前記制御部は、前記次工程情報に基づいて、前記複数のジョブのうち次工程先が同じジョブの前記用紙を、複数の前記積載部のうち同じ前記積載部に積載させるように決定する
請求項１に記載の画像形成システム。
【請求項３】
前記制御部は、前記次工程情報に基づいて、前記複数のジョブのうち次工程先が異なるジョブの前記用紙を、複数の前記積載部のうち異なる前記積載部に積載させるように決定する
請求項１又は２に記載の画像形成システム。
【請求項４】
前記制御部は、次工程先に応じて優先度が設定された優先度テーブルを有し、
次工程先が異なるジョブの前記用紙が同じ前記積載部に積載される際に、前記優先度テーブルに格納された前記優先度に応じて前記画像形成部での実行順序を決定する
請求項１に記載の画像形成システム。
【請求項５】
前記制御部は、複数の前記積載部のそれぞれに既に前記用紙が積載されている場合、前記次工程情報に基づいて、既に積載された前記用紙のジョブとは次工程先が異なるジョブの前記画像形成部での実行を保留する
請求項１に記載の画像形成システム。
【請求項６】
前記制御部は、前記保留されたジョブの後のジョブのうち、既に積載された前記用紙のジョブと次工程先が同じジョブが存在する場合、前記保留されたジョブよりも先に前記画像形成部による画像形成工程を実行する
請求項５に記載の画像形成システム。
【請求項７】
前記制御部は、前記積載部の数よりも次工程先の数が多い場合、前記次工程情報に基づいて、前記複数のジョブのうち次工程先が同じジョブが前記画像形成部での実行順序が連続するように実行順序を決定する
請求項１に記載の画像形成システム。
【請求項８】
前記制御部により決定された前記用紙が積載される前記積載部に関する情報を表示する表示部を備えた
請求項１〜７のいずれか１項に記載の画像形成システム。
【請求項９】
前記画像形成部を有する画像形成装置と、
前記画像形成装置により画像が形成された用紙を積載する用紙積載装置と、
前記画像形成装置に前記ジョブ情報を出力する情報処理装置と、を備え、
前記制御部は、前記画像形成装置又は前記情報処理装置に設けられる
請求項１〜８のいずれか１項に記載の画像形成システム。
【請求項１０】
用紙に対して行う処理内容を示す複数のジョブからなるジョブ情報をジョブ情報取得部で取得させる手順と、
前記ジョブ情報に基づいて前記用紙に画像を画像形成部により形成させる手順と、
前記画像形成部から排出された前記用紙を前記ジョブ毎に分けて、複数の積載部のうちいずれかの積載部に積載させる手順と、
前記ジョブ情報から前記画像形成部による画像形成工程の後に行われる次工程情報を取得し、前記次工程情報に基づいて、前記ジョブ毎に用紙を積載する前記積載部を複数の前記積載部の中から制御部に決定させる手順と、を
コンピューターに実行させるためのプログラム。
【発明の詳細な説明】
【技術分野】
【０００１】
本発明は、用紙に画像を形成する画像形成システム及びプログラムに関する。
【背景技術】
【０００２】
画像形成システムは、用紙に画像を形成する画像形成装置と、画像形成装置によって画像が形成された用紙を積載する積載装置とを備えている。そして、画像形成装置では、画像処理装置が出力されたジョブ情報に基づいて、用紙に画像を形成する。さらに、画像形成システムでは、積載装置に積載された用紙に対して、後工程として、後処理装置により後処理を行うことがある。
【０００３】
また、画像形成システムとしては、例えば、特許文献１に記載されているようなものがある。特許文献１には、第１及び第２のスタッカが前段から後段にシートを搬送する第２搬送路、シフトトレイ及び第２搬送路から分岐した第３搬送路を備えた技術が記載されている。そして、両者を連結して画像形成装置から搬入されるシートを積載処理する際、第１のスタッカのシフトトレイへ排紙しているシートが満杯になると、第１の分岐爪を切り替えて、シートを第２搬送路から第２のスタッカに搬送する。そして、第２のスタッカの第１の分岐爪をシフトトレイ側へ用紙を搬送する方向に切り替えて、当該シフトトレイに排紙し、その間、第１のスタッカの下部ドアを開放して台車を引き出し、仕分けされたシート束を取り出すことが記載されている。
【先行技術文献】
【特許文献】
【０００４】
【特許文献１】特開２０１０−２０２３３７号公報
【発明の概要】
【発明が解決しようとする課題】
【０００５】
しかしながら、複数のジョブを実行する場合、複数の積載装置のスタッカ部には、複数のジョブにより形成された用紙が混在して積載される。その結果、複数のジョブにより形成された用紙が混在して積載されたスタッカ部から所定のジョブにより形成された用紙を後処理装置に応じてユーザーが抜き取り、分別する必要があり、用紙を後処理装置にセットする作業が繁雑なものとなっていた。
【０００６】
本発明は、上述のような従来の問題点に鑑み、画像が形成された用紙を次工程にセットする作業にかかるユーザーへの負担を軽減することができる画像形成システム及びプログラムを提供することを目的とする。
【課題を解決するための手段】
【０００７】
上記課題を解決し、本発明の目的を達成するため、画像形成システムは、ジョブ情報取得部と、画像形成部と、複数の積載部と、制御部と、を備えている。ジョブ情報取得部は、用紙に対して行う処理内容を示す複数のジョブからなるジョブ情報を取得する。画像形成部は、ジョブ情報に基づいて用紙に画像を形成する。積載部には、画像形成部から排出された用紙がジョブ毎に分けられた状態で積載される。制御部は、ジョブ情報から画像形成部による画像形成工程の後に行われる次工程情報を取得し、次工程情報に基づいて、ジョブ毎に用紙を積載する積載部を複数の積載部の中から決定する。
【０００８】
本発明のプログラムは、次の手順をコンピューターに実行させる。
用紙に対して行う処理内容を示す複数のジョブからなるジョブ情報をジョブ情報取得部で取得させる手順。
ジョブ情報に基づいて用紙に画像を画像形成部により形成させる手順。
画像形成部から排出された用紙をジョブ毎に分けて、複数の積載部のうちいずれかの積載部に積載させる手順。
ジョブ情報から画像形成部による画像形成工程の後に行われる次工程情報を取得し、次工程情報に基づいて、ジョブ毎に用紙を積載する積載部を複数の積載部の中から制御部に決定させる手順。
【発明の効果】
【０００９】
上記構成の画像形成システム及びプログラムによれば、画像が形成された用紙を次工程にセットする作業にかかるユーザーへの負担を軽減することができる。
【図面の簡単な説明】
【００１０】
【図１】本発明の第１の実施の形態例にかかる画像形成システムの全体構成を示す概略構成図である。
【図２】本発明の第１の実施の形態例にかかる画像形成システムのハードウエア構成を示すブロック図である。
【図３】従来の画像形成システムの動作例を示す説明図である。
【図４】本発明の第１の実施の形態例にかかる画像形成システムにおけるプリントスタート前におけるジョブ情報受信処理を示すフローチャートである。
【図５】本発明の第１の実施の形態例にかかる画像形成システムにおけるジョブ実行中におけるジョブ情報受信処理を示すフローチャートである。
【図６】本発明の第１の実施の形態例にかかる画像形成システムにおける積載部決定処理を示すフローチャートである。
【図７】本発明の第１の実施の形態例に係る画像形成システムの動作例を示す説明図である。
【図８】本発明の第１の実施の形態例に係る画像形成システムにおける操作表示部に表示される表示例を示す説明図である。
【図９】本発明の第２の実施の形態例にかかる画像形成システムにおける積載部決定処理を示すフローチャートである。
【図１０】本発明の第２の実施の形態例に係る画像形成システムの動作例を示す説明図である。
【図１１】本発明の第２の実施の形態例に係る画像形成システムの積載部決定処理における優先度テーブルを示す説明図である。
【図１２】本発明の変形例に係る画像形成システムの動作例を示す説明図である。
【発明を実施するための形態】
【００１１】
以下に、本発明の画像形成システム及びプログラムを実施するための形態について、図１〜図１２を参照しながら説明する。なお、各図において共通の部材には、同一の符号を付している。また、本発明は、以下の形態に限定されるものではない。
【００１２】
１．第１の実施の形態例
１−１．画像形成システムの構成
まず、本発明の第１の実施の形態例（以下、「本例」という。）にかかる画像形成システムの全体構成について説明する。図１は、本例の画像形成システム１の概略構成図である。
【００１３】
図１に示すように、画像形成システム１は、画像形成サーバーを構成する情報処理装置２と、画像形成装置３と、用紙積載装置を示す第１大容量スタッカ４Ａ及び第２大容量スタッカ４Ｂと、後処理部の一例を示す第１くるみ製本機５Ａ及び第２くるみ製本機５Ｂとを備えている。情報処理装置２、画像形成装置３、第１大容量スタッカ４Ａ、第２大容量スタッカ４Ｂ、第１くるみ製本機５Ａ、第２くるみ製本機５Ｂは、それぞれＬＡＮ等のネットワーク６に接続され、ネットワーク６を介して相互に接続されている。
【００１４】
情報処理装置２としては、パーソナルコンピューターが適用される。情報処理装置２は、は、ユーザーの入力操作に基づいて、文書作成又は画像形成アプリケーションにより画像形成を行う画像データを生成する。また、情報処理装置２は、画像データと、用紙Ｓに対して行う処理内容を示すジョブ情報を、画像形成装置３や、第１くるみ製本機５Ａ、第２くるみ製本機５Ｂへネットワーク６を介して出力する。なお、ジョブ情報は、ＪＤＦ（Job Definition Format）に変換して、画像形成装置３や、第１くるみ製本機５Ａ、第２くるみ製本機５Ｂに出力される。
【００１５】
画像形成装置３は、情報処理装置２から出力されたジョブ情報及び画像データを、ネットワーク６を介して受信し、ジョブ情報の画像形成設定及び画像データに基づいて用紙Ｓに画像を形成する。画像形成装置３は、例えば電子写真方式により用紙Ｓに画像を形成する装置である。画像形成装置３は、画像形成を行う用紙Ｓが収容された給紙部３１と、用紙Ｓに画像形成を行う画像形成部３２と、操作表示部３３とを備えている。
【００１６】
画像形成部３２は、例えば、複数色（シアン、マゼンダ、イエロー、ブラック等）の画像形成ユニットを備え、用紙にカラーのトナー画像を形成することができる。画像形成部３２の用紙搬送方向の下流側（単に「下流側」と称する）には、トナー画像が形成された用紙が搬送される不図示の定着部が配置される。この定着部により、用紙が加圧及び加熱されて、転写されたトナー画像が用紙に定着する。
【００１７】
画像形成装置３の用紙Ｓの搬送方向の下流側には、第１大容量スタッカ４Ａ及び第２大容量スタッカ４Ｂが配置されている。また、第１大容量スタッカ４Ａにおける用紙Ｓの搬送方向の下流側には、第２大容量スタッカ４Ｂが配置される。すなわち、画像形成装置３と第１大容量スタッカ４Ａ及び第２大容量スタッカ４Ｂは、用紙Ｓの搬送方向に直列に並べられている。第１大容量スタッカ４Ａ及び第２大容量スタッカ４Ｂには、画像形成装置３によって画像が形成された用紙Ｓが搬送される。
【００１８】
第１大容量スタッカ４Ａと第２大容量スタッカ４Ｂは、それぞれ同一の構成を有しているため、ここでは第１大容量スタッカ４Ａについて説明する。
第１大容量スタッカ４Ａは、用紙搬送部４１と、用紙Ｓが積載される積載部の一例を示すスタッカ部４３と、スタッカ部４３が配置された第１台車４２Ａとを有している。スタッカ部４３には、用紙Ｓがジョブ毎に分けて積載される。用紙搬送部４１は、画像形成装置３から搬送された用紙Ｓをスタッカ部４３に向けて搬送する。スタッカ部４３は、第１台車４２Ａごと第１大容量スタッカ４Ａの筐体から取り出し可能に構成されている。なお、第２大容量スタッカ４Ｂにおいても、スタッカ部４３が配置された第２台車４２Ｂを有している。
【００１９】
第１大容量スタッカ４Ａのスタッカ部４３に積載された用紙Ｓは、第１台車４２Ａによって第１くるみ製本機５Ａ又は第２くるみ製本機５Ｂまで搬送される。同様に、第２大容量スタッカ４Ｂのスタッカ部４３に積載された用紙Ｓは、第２台車４２Ｂによって第１くるみ製本機５Ａ又は第２くるみ製本機５Ｂまで搬送される。
【００２０】
第１くるみ製本機５Ａ及び第２くるみ製本機５Ｂは、画像形成装置３、第１大容量スタッカ４Ａ及び第２大容量スタッカ４Ｂから物理的に離れた位置に配置されている。
【００２１】
第１くるみ製本機５Ａ及び第２くるみ製本機５Ａは、給紙部５１の給紙トレイに積載された用紙Ｓに対して後処理を行う。第１くるみ製本機５Ａ及び第２くるみ製本機５Ｂは、用紙Ｓを複数枚束ねて表紙でくるんで冊子を作成する、いわゆるくるみ製本を行う。
【００２２】
なお、本例では、後処理装置としてくるみ製本機５Ａ、５Ｂを適用した例を説明したが、これに限定されるものではない。後処理装置としては、例えば、用紙Ｓに箔押しを行う箔押し機、用紙Ｓを断裁する断裁機や用紙Ｓにステープル処理を行うステープル処理機等その他各種の後処理装置が適用される。
【００２３】
１−２．各装置のハードウエア構成
次に、図２を参照して各装置のハードウエア構成について説明する。
図２は、画像形成システムの各装置のハードウエア構成を示すブロック図である。
【００２４】
まず、情報処理装置２のハードウエア構成について説明する。
図２に示すように、情報処理装置２は、表示部２１と、入力操作部２２と、画像処理部２３と、画像回転／圧縮部２４と、を備えている。また、情報処理装置２は、ＣＰＵ（Central Processing Unit）２０１と、ＣＰＵ２０１が実行するプログラム等を記憶するためのＲＯＭ（Read Only Memory）２０２と、ＣＰＵ２０１の作業領域として使用されるＲＡＭ（Random Access Memory）２０３と、を有する。さらに、情報処理装置２は、大容量記憶装置としてのハードディスクドライブ（ＨＤＤ）２０４と、ネットワークＩ／Ｆ２０５とを備えている。なお、ＲＯＭ２０２としては、通常電気的に消去可能なプログラマブルＲＯＭが用いられる。また、制御部の一例を示すＣＰＵ２０１は、情報処理装置２全体を制御する。
【００２５】
また、表示部２１、入力操作部２２、画像処理部２３、画像回転／圧縮部２４、ＣＰＵ２０１、ＲＯＭ２０２、ＲＡＭ２０３、ＨＤＤ２０４及びネットワークＩ／Ｆ２０５は、それぞれシステムバスを介して相互に通信可能に接続されている。
【００２６】
表示部２１は、例えば、液晶表示装置（ＬＣＤ）又は有機ＥＬＤ（Electro Luminescence Display）等のディスプレイモニタであり、情報処理装置２で行われる処理の結果等を表示する。入力操作部２２には、例えば、例えば、キーボード、マウス又はタッチパネル等が用いられる。そして、入力操作部２２は、ユーザーが所定の操作入力、指示を行うことが可能である。また、入力操作部２２として適用したタッチパネルと、表示部２１として適用したフラットパネルディスプレイを積層して一体化し、操作表示パネルを構成してもよい。
【００２７】
画像処理部２３は、Ａ／Ｄ変換によって作成された画像データにシェーディング補正やディザ処理等の処理を施して、ＲＡＭ２０３に格納する。画像回転／圧縮部２４は、画像データの回転処理や、圧縮処理等を行い、ＲＡＭ２０３に格納する。
【００２８】
ネットワークＩ／Ｆ２０５は、例えば、ＮＩＣ等が用いられ、ネットワーク６を介して各装置間で各種のデータを送受信することが可能な構成とされている。
【００２９】
次に、画像形成装置３のハードウエア構成について説明する。画像形成装置３は、給紙部３１と、画像形成部３２と、操作表示部３３と、画像処理部３４と、画像読取部３５とを備えている。また、画像形成装置３は、ＣＰＵ３０１と、ＣＰＵ３０１が実行するプログラム等を記憶するためのＲＯＭ３０２と、ＣＰＵ３０１の作業領域として使用されるＲＡＭ３０３と、を有する。さらに、画像形成装置３は、ジョブ情報取得部の一例を示すネットワークＩ／Ｆ３０５と、後段Ｉ／Ｆ３０６とを有している。制御部の一例を示すＣＰＵ３０１は、画像形成装置３全体を制御する。
【００３０】
また、給紙部３１、画像形成部３２、操作表示部３３、画像処理部３４、画像読取部３５、ＣＰＵ３０１、ＲＯＭ３０２、ＲＡＭ３０３、ネットワークＩ／Ｆ３０５及び後段Ｉ／Ｆ３０６は、それぞれシステムバスを介して相互に通信可能に接続されている。
【００３１】
画像読取部３５は、原稿画像を光学的に読み取って電気信号に変換する。例えば、カラー原稿を読み取る場合は、一画素当たりＲＧＢ各１０ビットの輝度情報をもつ画像データを生成する。画像読取部３５によって生成された画像データや、情報処理装置２から送信される画像データは、画像処理部３４に送られ、画像処理される。画像処理部３４は、受信した画像データに対し、必要に応じて、シェーディング補正、画像濃度調整、画像圧縮等の画像処理を行う。また、画像形成部３２は、画像処理部３４によって画像処理された画像データを受け取り、画像データに基づいて用紙Ｓ上に画像を形成する。
【００３２】
操作表示部３３は、液晶表示装置（ＬＣＤ）又は有機ＥＬＤ（Electro Luminescence Display）等のディスプレイからなるタッチパネルである。この操作表示部３３は、出力部の一例であり、ユーザーに対する指示メニューや取得した画像データに関する情報等を表示する。さらに、操作表示部３３は、複数のキーを備え、ユーザーのキー操作による各種の指示、文字、数字などのデータの入力を受け付けて、入力信号をＣＰＵ３０１に出力する。
【００３３】
ネットワークＩ／Ｆ３０５は、例えば、ＮＩＣ等が用いられ、ネットワーク６を介して各装置間で各種のデータを送受信することが可能な構成とされている。また、後段Ｉ／Ｆ３０６は、例えば、ＮＩＣ等が用いられ、画像形成装置３の後段に接続する第１大容量スタッカ４Ａ及び第２大容量スタッカ４Ｂとの接続を確立し、データの送受信を実行する。
次に、第１大容量スタッカ４Ａ及び第２大容量スタッカ４Ｂのハードウエア構成について説明する。なお、第１大容量スタッカ４Ａ及び第２大容量スタッカ４Ｂのハードウエア構成は、それぞれ同一の構成を有しているため、ここでは第１大容量スタッカ４Ａについて説明する。
【００３４】
第１大容量スタッカ４Ａは、用紙搬送部４１と、スタッカ部４３と、を備えている。また、第１大容量スタッカ４Ａは、第１大容量スタッカ４Ａ全体を制御するＣＰＵ４０１と、ＣＰＵ４０１が実行するプログラム等を記憶するためのＲＯＭ４０２と、ＣＰＵ４０１の作業領域として使用されるＲＡＭ４０３と、を有する。さらに、第１大容量スタッカ４Ａは、前段Ｉ／Ｆ４０５と、後段Ｉ／Ｆ４０６とを有している。
【００３５】
また、用紙搬送部４１、スタッカ部４３、ＣＰＵ４０１、ＲＯＭ４０２、ＲＡＭ４０３、前段Ｉ／Ｆ４０５及び後段Ｉ／Ｆ４０６は、それぞれシステムバスを介して相互に通信可能に接続されている。
【００３６】
前段Ｉ／Ｆ４０５は、例えば、ＮＩＣ等が用いられ、第１大容量スタッカ４Ａの前段に接続する画像形成装置３との接続を確立し、データの送受信を実行する。また、後段Ｉ／Ｆ４０６は、例えば、ＮＩＣ等が用いられ、第１大容量スタッカ４Ａの後段に接続する第２大容量スタッカ４Ｂとの接続を確立し、データの送受信を実行する。なお、第２大容量スタッカ４Ｂの後段Ｉ／Ｆ４０６は、第２大容量スタッカ４Ｂの後段に何らかの装置が接続された場合に、当該装置との接続を確立し、データの送受信を実行する。
【００３７】
次に、第１くるみ製本機５Ａ及び第２くるみ製本機５Ｂのハードウエア構成について説明する。なお、第１くるみ製本機５Ａ及び第２くるみ製本機５Ｂのハードウエア構成は、それぞれ同一の構成を有しているため、ここでは第１くるみ製本機５Ａについて説明する。
【００３８】
第１くるみ製本機５Ａは、給紙部５１と、操作部５２と、断裁部５３と、表紙搬送部５４と、くるみ製本部５５と、用紙搬送部５６と、束積載部５７と、を備えている。また、第１くるみ製本機５Ａは、第１くるみ製本機５Ａ全体を制御するＣＰＵ５０１と、ＣＰＵ５０１が実行するプログラム等を記憶するためのＲＯＭ５０２と、ＣＰＵ５０１の作業領域として使用されるＲＡＭ５０３と、を有する。さらに、第１くるみ製本機５Ａは、ネットワークＩ／Ｆ５０５を有している。
【００３９】
給紙部５１は、給紙トレイを有しており、他の装置（本例では、第１大容量スタッカ４Ａ及び第２大容量スタッカ４Ｂ）から搬送された用紙Ｓが給紙トレイに載置される。そして、給紙部５１は、給紙トレイに載置された用紙Ｓを用紙搬送部５６に給紙する。用紙搬送部５６は、給紙部５１から給紙された用紙Ｓを第１くるみ製本機５Ａの各部に搬送し、最終的に束積載部５７へ搬送する。
【００４０】
操作部５２、例えば、表示部であるディスプレイパネル上に表示される情報に従い、入力操作を行うことが可能なタッチパネルである。操作部５２は、ユーザーのキー操作による各種の指示、文字、数字などのデータの入力を受け付けて、入力信号をＣＰＵ５０１に出力する。
【００４１】
断裁部５３は、例えば、回転刃と固定刃とからなるローラ駆ったユニットであり、表紙や用紙Ｓを所定の長さに断裁する。くるみ製本部５５は、用紙Ｓを複数枚束ねて綴じ処理を行うと共に、束ねられた用紙に表紙を貼り付ける。これにより、くるみ製本部５５は、用紙Ｓに対してくるみ処理を行い、冊子を作成する。表紙搬送部５４は、くるみ製本部５５に冊子を作成する際に用いられる表紙を搬送する。束積載部５７は、くるみ製本部５５により作成された冊子をスタッカに積載する。
【００４２】
なお、情報処理装置２、画像形成装置３、第１大容量スタッカ４Ａ、第２大容量スタッカ４Ｂ、第１くるみ製本機５Ａ及び第２くるみ製本機５Ｂは、ＣＰＵ２０１、３０１、４０１、５０１の代わりに、ＭＰＵ（Micro Processing Unit）等の処理装置を備えるようにしてもよい。
【００４３】
１−３．動作例
次に、上述した構成を有する画像形成システム１の動作例について図３〜図８を参照して説明する。
図３は、従来の動作例を示す説明図である。
【００４４】
［従来例］
図３に示すように、従来の動作例では、画像形成装置３は、情報処理装置２からジョブ情報（ＪＤＦ）が入力されると、当該ジョブ情報に基づいて、用紙Ｓに対して画像を形成する。
【００４５】
ジョブ１の実行順序が１番に設定されており、ジョブ２の実行順序が２番に設定されている。また、ジョブ３の実行順序が３番に設定されており、ジョブ４の実行順序が４番に設定されている。そのため、情報処理装置２は、まず実行順序が１番のジョブ１を実行し、第１大容量スタッカ４Ａのスタッカ部４３にジョブ１の用紙束Ｊ１を積載させる。次に、実行順序が２番のジョブ２を実行する。なお、従来の動作例では、複数のスタッカ部４３のうち空いているスタッカ部４３に優先して用紙が排紙される。そのため、第２大容量スタッカ４Ｂのスタッカ部４３が空いているため、情報処理装置２は、ジョブ２の用紙束Ｊ２を、第２大容量スタッカ４Ｂのスタッカ部４３に積載させる。
【００４６】
次に、情報処理装置２は、実行順序が３番のジョブ３を実行し、第１大容量スタッカ４Ａのスタッカ部４３にジョブ３の用紙束Ｊ３を積載させる。そして、情報処理装置２は、実行順序が４番のジョブ４を実行し、第２大容量スタッカ４Ｂのスタッカ部４３にジョブ４の用紙束Ｊ４を積載させる。そのため、第１大容量スタッカ４Ａのスタッカ部４３には、ジョブ１の用紙束Ｊ１の上にジョブ３の用紙束Ｊ３が積載され、第２大容量スタッカ４Ｂのスタッカ部４３には、ジョブ２の用紙束Ｊ２の上にジョブ４の用紙束Ｊ４が積載される。
【００４７】
次に、ユーザーは、第１大容量スタッカ４Ａの第１台車４２Ａと、第２大容量スタッカ４Ｂの第２台車４２Ｂを、第１くるみ製本機５Ａ及び第２くるみ製本機５Ａまで搬送する。
【００４８】
情報処理装置２に入力されたジョブ情報（ＪＤＦ）に示すように、ジョブ１の用紙束Ｊ１に対する次工程は、第１くるみ製本機５Ａで行われる。しかしながら、ジョブ１の用紙束Ｊ１の上に積載されたジョブ３の用紙束Ｊ３に対する次工程は、第２くるみ製本機５Ｂで行われる。また、ジョブ２の用紙束Ｊ２に対する次工程は、第２くるみ製本機５Ｂで行われるが、ジョブ２の用紙束Ｊ２の上に積載されたジョブ４の用紙束Ｊ４に対する次工程は、第１くるみ製本機５Ａで行われる。
【００４９】
そのため、ユーザーは、第１台車４２Ａに積載されたジョブ３の用紙束Ｊ３を、一度別の場所に載置する。そして、第２台車４２Ｂに積載されたジョブ４の用紙束Ｊ４を第１台車４２Ａに積み直す。また、別の場所に載置されたジョブ３の用紙束Ｊ３を第２台車４２Ｂに積載する。このように、従来の動作例では、後処理装置に応じてユーザーが複数のジョブの用紙束Ｊ１、Ｊ２、Ｊ３、Ｊ４を分別する必要があり、用紙束Ｊ１、Ｊ２、Ｊ３、Ｊ４を後処理装置にセットする作業が繁雑なものとなっていた。
【００５０】
［本例］
次に、本例の動作例について図４〜図８を参照して説明する。
まず、図４を参照してプリントスタート前におけるジョブ情報受信処理を説明する。
図４は、プリントスタート前におけるジョブ情報受信処理を示すフローチャートである。
【００５１】
図４に示すように、画像形成装置３のネットワークＩ／Ｆ３０５は、ネットワーク６を介して情報処理装置２のネットワークＩ／Ｆ２０５からジョブ情報を受信し、受信したジョブ情報をプリントキューであるＲＯＭ３０２にセットする（ステップＳ１）。次に、画像形成装置３のＣＰＵ３０１は、プリントキューにセットされたジョブ情報（予約ジョブ）から次工程先情報を取得する（ステップＳ２）。すなわち、画像形成装置３によって画像が形成された後に行われる後処理情報を取得する。
【００５２】
次に、ＣＰＵ３０１は、取得した次工程先情報に応じて画像が形成された用紙Ｓを排紙する積載部を決定する（ステップＳ３）。なお、ステップＳ３に示す積載部決定処理については、図７を参照して後述する。次に、画像形成装置３のＣＰＵ３０１は、予約リスト内の全ジョブの積載部が決定された否かを判断する（ステップＳ４）。すなわち、ＣＰＵ３０１は、プリントキューにセットされた全てのジョブの積載部が決定されたか否かを判断する。
【００５３】
ステップＳ４の処理において、ＣＰＵ３０１は、また積載部が決定されていないジョブがあると判断した場合（ステップＳ４のＮＯ判定）、ステップＳ２に戻り、次工程先取得処理と、ステップＳ３における積載部決定処理を行う。また、ステップＳ４の処理において、ＣＰＵ３０１は、全ジョブの積載部が決定されたと判断した場合（ステップＳ４のＹＥＳ判定）、新たにジョブを受信したか否かを判断する（ステップＳ５）。
【００５４】
ステップＳ５の処理において、ＣＰＵ３０１は、新たにジョブを受信したと判断した場合（ステップＳ５のＹＥＳ判定）、ステップＳ２に戻り、次工程先取得処理と、ステップＳ３における積載部決定処理を行う。また、ステップＳ５の処理において、ＣＰＵ３０１は、新たにジョブを受信していないと判断した場合（ステップＳ５のＮＯ判定）、ジョブ開始指示が入力されたか否かを判断する（ステップＳ６）。
【００５５】
ステップＳ６の処理において、ジョブ開始指示が入力されていないとＣＰＵ３０１が判断した場合（ステップＳ６のＮＯ判定）、ステップＳ５の処理に戻る。また、ステップＳ６の処理において、ジョブ開始指示が入力されたとＣＰＵ３０１が判断した場合（ステップＳ６のＹＥＳ判定）、ＣＰＵ３０１は、画像形成処理を開始、すなわちプリントスタートを実行する。
【００５６】
なお、ステップＳ６の処理では、所定数のジョブを受信した場合や、画像形成装置３のウォームアップ動作が完了した場合に、ＣＰＵ３０１は、プリントスタートを実行させてもよい。
【００５７】
次に、図５を参照してジョブ実行中（プリント実行中）におけるジョブ情報受信処理を示す。
図５は、ジョブ実行中（プリント実行中）におけるジョブ情報受信処理を示すフローチャートである。
【００５８】
図５に示すように、画像形成装置３のネットワークＩ／Ｆ３０５は、ネットワーク６を介して情報処理装置２のネットワークＩ／Ｆ２０５からジョブ情報を受信し、受信したジョブ情報をプリントキューであるＲＯＭ３０２にセットする（ステップＳ１２）。次に、ＣＰＵ３０１は、受信したジョブの開始指示が入力されたか否かを判断する（ステップＳ１２）。ステップＳ１２の処理において、ジョブ開始指示が入力されていないとＣＰＵ３０１が判断した場合（ステップＳ１２のＮＯ判定）、ステップＳ１１の処理に戻る。
【００５９】
また、ステップＳ１２の処理において、ジョブ開始指示が入力されたとＣＰＵ３０１が判断した場合（ステップＳ１２のＹＥＳ判定）、ＣＰＵ３０１は、実行するジョブ情報（予約ジョブ）の次工程先情報を取得する（ステップＳ１３）。すなわち、画像形成装置３によって画像が形成された後に行われる後処理情報を取得する。
【００６０】
次に、ＰＵ３０１は、取得した次工程先情報に応じて当該ジョブの用紙Ｓを排紙する積載部を決定する（ステップＳ１４）。なお、ステップＳ３に示す積載部決定処理については、図７を参照して後述する。そして、ＣＰＵ３０１は、ジョブ情報に基づいて画像形成処理を実行する（ステップＳ１５）。
【００６１】
次に、プリントキューにセットされた全てのジョブが完了したか否かを判断する（ステップＳ１６）。ステップＳ１６の処理において、全てのジョブが完了していないと、ＣＰＵ３０１が判断した場合（ステップＳ１６のＮＯ判定）、ステップＳ１３の処理に戻る。また、ステップＳ１６の処理において、全てのジョブが完了したと、ＣＰＵ３０１が判断した場合（ステップＳ１６のＹＥＳ判定）、画像形成装置３におけるジョブが完了する。
【００６２】
次に、図６及び図７を参照して積載部決定処理について説明する。
図６は、積載部決定処理を示すフローチャートである。図７は、本例の画像形成システム１の動作を示す説明図である。
【００６３】
図６に示すように、ＣＰＵ３０１は、ジョブＮを１にセット（Ｎ＝１）する（ステップＳ２１）。次に、ＣＰＵ３０１は、用紙が積載される積載部の数（大容量スタッカの数）が、次工程先の数よりも少ないか否かを判断する（ステップＳ２２）。ここで、次工程先の数は、全ジョブで行われる後処理装置の数に応じて設定される。
【００６４】
図７に示す例では、情報処理装置２に入力されたジョブ１〜ジョブ４で行われる後処理装置の数は、第１くるみ製本機５Ａと、第２くるみ製本機５Ｂの２つである。そして、積載部の数は、第１大容量スタッカ４Ａと、第２大容量スタッカ４Ｂの２つのである。
【００６５】
ステップＳ２２の処理において、ＣＰＵ３０１は、積載部の数が次工程先の数よりも少ないとＣＰＵ３０１が判断した場合（ステップＳ２２のＹＥＳ判定）、ＣＰＵ３０１は、当該ジョブの実行保留判断を行う（ステップＳ２３）。また、ステップＳ２２の処理において、ＣＰＵ３０１は、積載部の数が次工程先の数と同じ又は多い場合と判断した場合（ステップＳ２２のＮＯ判定）、既に積載部が決定されたジョブの中に当該ジョブＮと次工程先が同じジョブがあるか否かを判断する（ステップＳ２４）。
【００６６】
ステップＳ２４の処理において、次工程先が同じジョブがあるとＣＰＵ３０１が判断した場合（ステップＳ２４のＹＥＳ判定）、当該ジョブＮの排出先を、次工程先が同じジョブと同一の積載部へ排出するよう決定する（ステップＳ２５）。また、ステップＳ２４の処理において、次工程先が同じジョブがないとＣＰＵ３０１が判断した場合（ステップＳ２４のＮＯ判定）、既に積載部が決定されたジョブとは異なる積載部へ排出するように、当該ジョブＮの排出先を決定する（ステップＳ２６）。
【００６７】
次に、ＣＰＵ３０１は、受信した全てのジョブの排出先が決定されたか否かを判断する（ステップＳ２７）。ステップＳ２７の処理において、ＣＰＵ３０１が受信したすべてのジョブの排出先を決定していないと判断した場合（ステップＳ２７のＮＯ判定）、ＣＰＵ３０１は、Ｎに１を加算（Ｎ＝Ｎ＋１）する（ステップＳ２８）。そして、ＣＰＵ３０１は、ステップＳ２２の処理に戻り、次のジョブの積載部の決定処理を行う。
【００６８】
また、ステップＳ２７の処理において、ＣＰＵ３０１が受信したすべてのジョブの排出先を決定したと判断した場合（ステップＳ２７のＹＥＳ判定）、積載部決定処理を終了する。
【００６９】
なお、図７に示すように、ジョブ１の場合は、他のジョブ２、３、４の積載部決定処理が行われていないため、ステップＳ２４の処理では、ＣＰＵ３０１は、ＮＯと判定する。そのため、ジョブ１の排出先は、第１大容量スタッカ４Ａか第２大容量スタッカ４Ｂのいずれかに決定される。
【００７０】
ジョブ２の次工程は、第２くるみ製本機５Ｂである。そして、排出先が決定されたジョブ１の次工程は、第１くるみ製本機５Ａである。すなわち、ジョブ２の次工程先がジョブ１と異なるため、ステップＳ２４の処理では、ＣＰＵ３０１は、ＮＯと判定する。そのため、ジョブ２の排出先は、ジョブ１と異なる積載部（図７に示す例では、第２大容量スタッカ４Ｂ）に決定される。
【００７１】
また、ジョブ３の次工程は、ジョブ２と同じ第２くるみ製本機５Ｂである。ジョブ３の次工程先と同じ次工程先のジョブ２があるため、ステップＳ２４の処理では、ＣＰＵ３０１は、ＹＥＳと判定する。そして、ステップＳ２５の処理において、ジョブ３が排出される積載部は、ジョブ２と同じ積載部である第２大容量スタッカ４Ｂに決定される。
【００７２】
さらに、ジョブ４の次工程は、ジョブ１と同じ第１くるみ製本機５Ａである。ジョブ４の次工程先と同じ次工程先のジョブ１があるため、ステップＳ２４の処理では、ＣＰＵ３０１は、ＹＥＳと判定する。そして、ステップＳ２５の処理において、ジョブ４が排出される積載部先は、ジョブ１と同じ積載部である第１大容量スタッカ４Ａに決定される。
【００７３】
このように、本例の画像形成システム１では、次工程先の情報に基づいて、各ジョブ１、２、３、４が排出される積載部を決定している。そのため、第１大容量スタッカ４Ａの第１台車４２Ａには、第１くるみ製本機５Ａで後処理が行われるジョブ１の用紙束Ｊ１とジョブ４の用紙束Ｊ４が積載される。また、第２大容量スタッカ４Ｂの第２台車４２Ｂには、第２くるみ製本機５Ｂで後処理が行われるジョブ２の用紙束Ｊ２とジョブ３の用紙束Ｊ３が積載される。
【００７４】
これにより、第１台車４２Ａは、第１くるみ製本機５Ａに搬送され、第２台車４２Ｂは、第２くるみ製本機５Ｂに搬送される。そのため、本例の画像形成システム１によれば、従来例のように、ユーザーが後工程に応じて用紙束を分別する作業を行うことなく、用紙を後処理装置である各くるみ製本機５Ａ、５Ｂにセットすることができる。その結果、用紙を後処理装置にセットする作業を容易に行うことができ、ユーザーへの負担を軽減することができる。
【００７５】
また、図６に示すように、本例の画像形成システム１では、ステップＳ２８の処理の後は、ステップＳ２２の処理に戻り、積載部の数と次工程先の数を再び判断している。これにより、積載部決定処理中に新たなジョブが追加され、次工程先の数が増加する可能性を考慮することができる。
【００７６】
図８は、積載部決定処理が完了した後に操作表示部３３に表示される表示例の一例を示している。
ＣＰＵ３０１は、上述した積載部決定処理が完了すると、例えば、図８に示すように、操作表示部３３の表示画面３３ａに決定した積載部情報を表示させる。表示画面３３ａには、各大容量スタッカ４Ａ、４Ｂに積載させるジョブ情報や、大容量スタッカ４Ａ、４Ｂごとの次工程先の情報、ジョブの出力順が表示される。これにより、各ジョブ１、２、３、４の用紙束Ｊ１、Ｊ２、Ｊ３、Ｊ４がどの積載部（第１大容量スタッカ４Ａ、第２大容量スタッカ４Ｂ）に積載されるかをユーザーに対して知らせることができる。さらに、各大容量スタッカ４Ａ、４Ｂの台車４２Ａ、４２Ｂの搬送先もユーザーに対して知らせることができる。
【００７７】
２．第２の実施の形態例
次に、図９〜図１１を参照して第２の実施の形態例にかかる画像形成システムについて説明する。
図９は、第２の実施の形態例にかかる積載部決定処理を示すフローチャートである。図１０は、第２の実施の形態例にかかる画像形成システムの動作を示す説明図である。図１１は、優先度テーブルを示す説明図である。
【００７８】
この第２の実施の形態例にかかる画像形成システム１００は、第１の実施の形態例にかかる画像形成システム１から後処理装置の数を３つに増やしたものである。ここでは、第１の実施の形態例に係る画像形成システム１と共通する部分には同一の符号を付して重複した説明を省略する。
【００７９】
図１０に示すように、画像形成システム１００は、情報処理装置２と、画像形成装置３と、第１大容量スタッカ４Ａと、第２大容量スタッカ４Ｂと、後処理装置を示す３つのくるみ製本機５Ａ、５Ｂ、５Ｃとを有している。情報処理装置２、画像形成装置３、第１大容量スタッカ４Ａ、第２大容量スタッカ４Ｂ、第１くるみ製本機５Ａ、第２くるみ製本機５Ｂ、第３くるみ製本機５Ｃは、それぞれＬＡＮ等のネットワーク６に接続され、ネットワーク６を介して相互に接続されている。
【００８０】
次に、第２の実施の形態例にかかる画像形成システム１００の積載部決定処理について説明する。
図９に示すように、まず、ＣＰＵ３０１は、用紙が積載される積載部の数（大容量スタッカの数）が、次工程先の数よりも少ないか否かを判断する（ステップＳ３１）。第２の実施の形態例にかかる画像形成システム１００では、図１０に示すように、次工程先の数は、第１くるみ製本機５Ａ、第２くるみ製本機５Ｂ及び第３くるみ製本機５Ｃの３つであり、積載部の数は、第１大容量スタッカ４Ａと、第２大容量スタッカ４Ｂの２つのである。そのため、ステップＳ３１の処理において、ＣＰＵ３０１は、積載部の数が次工程先の数よりも少ないと判断する（ステップＳ３１のＹＥＳ判定）。
【００８１】
なお、ステップＳ３１の処理において、ＣＰＵ３０１は、積載部の数が次工程先の数と同じ又は多い場合と判断した場合（ステップＳ３１のＮＯ判定）、ステップＳ３３の処理を行う。ステップＳ３３の処理は、上述した図６に示すステップＳ２４〜Ｓ２６の処理と同じであるため、その説明は省略する。
【００８２】
また、ステップＳ３１の処理において、ＣＰＵ３０１は、積載部の数が次工程先の数よりも少ないとＣＰＵ３０１が判断した場合（ステップＳ３１のＹＥＳ判定）、ジョブＮを１にセット（Ｎ＝１）する（ステップＳ３２）。既に積載部が決定されたジョブの中に当該ジョブＮと次工程先が同じジョブがあるか否かを判断する（ステップＳ３４）。
【００８３】
ステップＳ３４の処理において、次工程先が同じジョブがあるとＣＰＵ３０１が判断した場合（ステップＳ３４のＹＥＳ判定）、当該ジョブＮの排出先を、次工程先が同じジョブと同一の積載部へ排出するよう決定する（ステップＳ３５）。また、ステップＳ３４の処理において、次工程先が同じジョブがないとＣＰＵ３０１が判断した場合（ステップＳ３４のＮＯ判定）、積載が予定されていない積載部に当該ジョブＮの排出先を決定する（ステップＳ３６）。
【００８４】
次に、ＣＰＵ３０１は、受信した全てのジョブの排出先が決定されたか否かを判断する（ステップＳ３７）。ステップＳ３７の処理において、ＣＰＵ３０１が受信したすべてのジョブの排出先を決定していないと判断した場合（ステップＳ３７のＮＯ判定）、ＣＰＵ３０１は、Ｎに１を加算（Ｎ＝Ｎ＋１）する（ステップＳ３９）。そして、ＣＰＵ３０１は、ステップＳ３４の処理に戻り、次のジョブの積載部の決定処理を行う。
【００８５】
また、ステップＳ３７の処理において、ＣＰＵ３０１が受信したすべてのジョブの排出先を決定したと判断した場合（ステップＳ３７のＹＥＳ判定）、図１１に示す優先度テーブルに基づいて、積載部ごとにリスト内のジョブ実行順序を入れ替える（ステップＳ３８）。ステップＳ３８の処理では、図１１に示す優先度テーブルに基づいて、優先度が低いジョブを先に実行するようにジョブ実行順序を入れ替える。そのため、各積載部には、優先度の低いジョブの用紙束が下に積載され、優先度の高いジョブの用紙束が、優先度の低いジョブの用紙束の上に積載される。これにより積載部決定処理が終了する。
【００８６】
図１０に示す例では、ジョブ１の場合は、他のジョブ２、３、４の積載部決定処理が行われていないため、ステップＳ３４の処理では、ＣＰＵ３０１は、ＮＯと判定する。そのため、ジョブ１の排出先は、第１大容量スタッカ４Ａか第２大容量スタッカ４Ｂのいずれかに決定される。
【００８７】
ジョブ２の次工程は、第２くるみ製本機５Ｂである。そして、排出先が決定されたジョブ１の次工程は、第１くるみ製本機５Ａである。すなわち、ジョブ２の次工程先がジョブ１と異なるため、ステップＳ３４の処理では、ＣＰＵ３０１は、ＮＯと判定する。そのため、ジョブ２の排出先は、ステップＳ３６の処理において、積載が予定されていない、第２大容量スタッカ４Ｂに決定される。
【００８８】
ジョブ３の次工程は、第３くるみ製本機５Ｃである。そして、排出先が決定されたジョブ１の次工程は、第１くるみ製本機５Ａであり、ジョブ２の次工程は、第２くるみ製本機５Ｂである。すなわち、ジョブ３の次工程先がジョブ１やジョブ２と異なる。ここで、ジョブ４の次工程は、ジョブ１と同じ第１くるみ製本機５Ａであるため、ジョブ４が排出される積載部先は、ジョブ１と同じ積載部である第１大容量スタッカ４Ａに決定される。そのため、第１大容量スタッカ４Ａには、ジョブ１とジョブ４の積載が予定されているため、ジョブ３の排出先は、ステップＳ３６の処理において、まだ空きが予定される第２大容量スタッカ４Ｂに決定される。
【００８９】
その結果、第１大容量スタッカ４Ａには、次工程先が同じジョブ１とジョブ４が積載されるが、第２大容量スタッカ４Ｂには、次工程先が異なるジョブ２とジョブ３が混在する。しかしながら、ステップＳ３８の処理において、次工程先の優先度においてジョブ２とジョブ３の画像形成装置３での実行順序が入れ替わる。
【００９０】
図１１に示す優先度テーブルでは、画像形成装置３や大容量スタッカ４Ａ、４Ｂから物理的に距離が近い後処理装置の優先度を高く設定している。例えば、第１くるみ製本機５Ａにおける画像形成装置３からの距離が３であり、第２くるみ製本機５Ｂにおける画像形成装置３からの距離が８であるため、第１くるみ製本機５Ａのほうが第２くるみ製本機５Ｂよりも優先度が高く設定される。なお、この優先度テーブルは、例えば、ＲＯＭ３０２やＲＡＭ３０３等の記憶部に格納されている。
【００９１】
そのため、ジョブ２のほうがジョブ３よりも情報処理装置２への入力が早いため、通常では、ジョブ２がジョブ３よりも実行される。しかしながら、図１１に示すように、ジョブ３が搬送される後処理装置（第３くるみ製本機５Ｃ）は、ジョブ２が搬送される後処理装置（第２くるみ製本機５Ｂ）よりも離れている。そのため、ステップＳ３８の処理において、優先度の低いジョブ３が優先度の高いジョブ２よりも先に実行するように、実行順序が入れ替わる。その結果、第２大容量スタッカ４Ｂには、ジョブ２の用紙束Ｊ２がジョブ３の用紙束Ｊ３の上に積載される。
【００９２】
これにより、第２大容量スタッカ４Ｂから第２くるみ製本機５Ｂ及び第３くるみ製本機５Ｃに用紙束Ｊ２、Ｊ３を搬送する際に、画像形成装置３よりも近い位置に配置された第２くるみ製本機５Ｂに、ジョブ２の用紙束Ｊ２を容易にセットすることができる。
【００９３】
なお、本例では、ステップＳ３８の処理で実行順序を入れ替える優先度を、画像形成装置３からの距離で設定した例を説明したがこれに限定されるものではない。優先度は、例えば、処理の時間がかかる後処理装置を高く設定したり、ジョブの仕上がり時間に応じて設定したりしてもよい。そして、優先度は、ユーザーが後処理装置の設置状況や処理時間等に応じて適宜設定できるものである。
【００９４】
の他の構成は、上述した第１の実施の形態例にかかる画像形成システム１と同様であるため、それらの説明は省略する。この第２の実施の形態例にかかる画像形成システム１００によっても、上述した第１の実施の形態例にかかる画像形成システム１と同様の作用及び効果を得ることができる。
【００９５】
３．変形例
次に、変形例にかかる画像形成システムについて図１２を参照して説明する。
図１２は、変形例にかかる画像形成システムの動作を示す説明図である。
【００９６】
この変形例にかかる画像形成システムでは、第２の実施の形態例にかかる画像形成システム１００と同様に、２つの大容量スタッカ４Ａ、４Ｂと、３つのくるみ製本機５Ａ、５Ｂ、５Ｃを設けたものである。そのため、ここでは、第１の実施の形態例に係る画像形成システム１及び第２の実施の形態例にかかる画像形成システム１００と共通する部分には同一の符号を付して重複した説明を省略する。
【００９７】
図１２に示すように、既に、第１大容量スタッカ４Ａにジョブ１の用紙束が積載され、第２大容量スタッカ４Ｂにジョブ２の用紙束が積載されている状態について説明する。この状態で、次のジョブであるジョブ３の次工程先は、ジョブ１やジョブ２と異なる第３くるみ製本機５Ｃである。画像形成装置３のＣＰＵ３０１は、ジョブ３の実行を保留（skip）する。
【００９８】
なお、ジョブ４の次工程先は、ジョブ１と同じ第１くるみ製本機５Ａである。そのため、画像形成装置３のＣＰＵ３０１は、ジョブ４の用紙が第１大容量スタッカ４Ａに排紙されるように決定する。また、ジョブ３の実行は、ジョブ１、２、４を第１くるみ製本機５Ａや第２くるみ製本機５Ｂへの搬送が完了した後に行われる。これにより、大容量スタッカ４Ａ、４Ｂに異なる次工程先のジョブの用紙束が混在することを防ぐことができる。
【００９９】
また、ＣＰＵ３０１は、次工程先のジョブが連続するように実行順序を決定してもよい。図１２に示す例では、ジョブ１の後に、ジョブ１と同じ次工程先であるジョブ４をジョブ２やジョブ３よりも先に実行するように実行順序を入れ替える。これにより、ジョブ１とジョブ４の画像形成工程が完了し、ジョブ２の実行中に、第１大容量スタッカ４Ａからジョブ１とジョブ４の用紙束を搬送することができる。
【０１００】
以上、画像形成システムの実施の形態例について、その作用効果も含めて説明した。しかしながら、本発明の画像形成システムは、上述の実施の形態に限定されるものではなく、特許請求の範囲に記載した発明の要旨を逸脱しない範囲内で種々の変形実施が可能である。
【０１０１】
上述した実施の形態例では、４組の画像形成ユニットを用いてカラー画像を形成する構成としたが、本発明にかかる画像形成装置としては、１つの画像形成ユニットを用いて単色画像を形成する構成としてもよい。
【０１０２】
さらに、排出する積載部を決定する制御部として画像形成装置３のＣＰＵ３０１を適用し、画像形成装置３のＣＰＵ３０１によって積載部決定処理を行う例を説明したが、これに限定されるものではない。例えば、制御部として情報処理装置２のＣＰＵ２０１を適用し、入力されたジョブ情報に基づいて情報処理装置２のＣＰＵ２０１によって積載部決定処理を行ってもよい。そして、情報処理装置２によって決定された各ジョブの用紙が排紙される積載部情報を、画像データやジョブ情報と共に画像形成装置３に出力してもよい。この場合、情報処理装置２のネットワークＩ／Ｆ２０５や入力操作部２２がジョブ情報取得部となる。
【０１０３】
また、上記の各構成要素、機能、処理部等は、それらの一部又は全部を、例えば集積回路の設計などによりハードウエアで実現してもよい。また、上記の各構成要素、機能等は、プロセッサがそれぞれの機能を実現するプログラムを解釈し、実行することによりソフトウエアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【符号の説明】
【０１０４】
１…画像形成システム、  ２…情報処理装置、  ３…画像形成装置、  ４Ａ、４Ｂ…大容量スタッカ（用紙積載装置）、  ５Ａ、５Ｂ、５Ｃ…くるみ製本機（後処理装置）、  ３２…画像形成部、  ３３…操作表示部（表示部）、  ４２Ａ、４２Ｂ…台車、  ４３…スタッカ部（積載部）、  ４４…ロック機構、  ２０１、３０１…ＣＰＵ（制御部）  ネットワークＩ／Ｆ…３０５（ジョブ情報取得部）
【図１】
2020066502.tif 000003
【図２】
2020066502.tif 000004
【図３】
2020066502.tif 000005
【図４】
2020066502.tif 000006
【図５】
2020066502.tif 000007
【図６】
2020066502.tif 000008
【図７】
2020066502.tif 000009
【図８】
2020066502.tif 000010
【図９】
2020066502.tif 000011
【図１０】
2020066502.tif 000012
【図１１】
2020066502.tif 000013
【図１２】
2020066502.tif 000014